(57)【特許請求の範囲】
【請求項１】
基板の表面に貼着層を介してセルシートを積層し、該基板の表面側に多数の遊技釘を植設した遊技盤であって、
前記基板は、遊技者に遊技盤背面側を視認不可能とする不透光性部材と、遊技者に遊技盤背面側を視認可能とする透光性部材とからなるとともに、前記遊技釘を植設するための釘植設孔を有し、
前記セルシートには、前記釘植設孔に対向する位置に前記遊技釘を挿通するための釘挿通孔を設け、
該釘挿通孔は、少なくとも前記透光性部材に対向する領域において、前記遊技釘を植設する前の状態で、前記セルシートの背面にまで到達していない構成とされ、
該釘挿通孔の直径は、前記遊技釘の直径よりも大きく形成されていることを特徴とする遊技盤。
【請求項２】
前記不透光性部材と前記透光性部材とは別体として設けられ、前記不透光性部材と前記透光性部材とを組み合わせることにより前記基板を構成したことを特徴とする請求項１記載の遊技盤。
【請求項３】
前記セルシートの背面側において、前記不透光性部材を覆う領域に接着剤層を設けるとともに、前記透光性部材を覆う領域に透光性を有する両面粘着テープ層を設けることにより、前記貼着層を形成したことを特徴とする請求項１または２記載の遊技盤。
【請求項４】
前記セルシートの背面側において、前記不透光性部材を覆う領域に接着剤層を設けるとともに、
前記透光性部材の表面側に透光性を有する両面粘着テープ層を設けることにより、前記貼着層を形成したことを特徴とする請求項１または２記載の遊技盤。
【請求項５】
前記釘挿通孔は、ビク抜き刃が前記セルシートを貫通しないようにして、該釘挿通孔の内部に薄肉部が残る半抜き状態に形成されていることを特徴とする請求項１〜４までのうちいずれか１項記載の遊技盤。
【発明の詳細な説明】
【０００１】
【発明の属する技術分野】
本発明は、例えばパチンコ遊技機等の遊技盤に関し、詳しくは、液晶表示板等のディスプレイを可変表示部として使用するタイプの遊技機に関するものである。
【０００２】
【従来の技術】
今日においては、パチンコ遊技機等の遊技盤として、可変表示部にマトリクス型のカラー液晶ディスプレイを使用して変化のある絵やスロットマシンのリール等を表示するものが主流になっている。
【０００３】
このような液晶ディスプレイは、所望の画像を表示することが可能であり、また、ソフトプログラムを変更することによって容易に他の遊技に変更可能であることから、そのディスプレイの面積をできるだけ大きなものとすることが望まれており、例えば、特開平７−１８５０７４号公報には遊技盤の半分以上の面積を有する大画面液晶ディスプレイを有するものが開示されている。
【０００４】
このように大型の液晶ディスプレイを使用する場合には、遊技球の落下に支障をきたさず、さらには釘や風車等の役物を取り付けあるいは入賞口を形成するために、遊技基板の一部としてＡＢＳ樹脂等からなる透光性平板を用い、上記液晶ディスプレイをその背後に配置し、遊技者がこの透光性遊技基板を介して液晶ディスプレイ上の表示画像を視認しうるように構成したものが一般的である。
【０００５】
また、このような透光性遊技基板を有する遊技盤は、透光性部材と不透光性部材を組み合わせて構成され、遊技盤の裏面側に絵柄等を印刷したセルシートを貼り付けて構成されている。
【０００６】
さらに、パチンコ機等の遊技盤の表面には、多数の遊技釘が植設されるとともに風車等の流路変更部材が配設されている。
【０００７】
従来より、遊技盤の表面に遊技釘を植設するには、予め遊技盤に釘植設孔を設けておき、この釘植設孔に釘を打ち込む方法が採られていた。また、特開平10-305131号公報に記載されたように、合成樹脂からなる遊技盤を加熱したり、あるいは打ち込むべき遊技釘を加熱することにより、遊技盤を軟化させて遊技釘を打ち込み易くする方法も提案されている。
【０００８】
【発明が解決しようとする課題】
ところで、上述した従来の遊技盤のように、透光性部材と不透光性部材を組み合わせて遊技盤を構成した場合には、遊技盤面を流下する遊技球が、透光性部材と不透光性部材との継ぎ目にぶつかって飛び跳ねてしまうおそれがある。また、継ぎ目に遊技球がぶつかると、継ぎ目部分が破損するおそれもある。
【０００９】
そこで、透光性部材と不透光性部材の継ぎ目を平滑なものとするために、遊技盤の表面側にセルシートを貼着する方法が考えられる。
【００１０】
しかしながら、図８に示すように、例えばアクリル樹脂からなる基板５００の表面にセルシート５１０を積層した遊技盤に対して、上述した従来の方法を用いて遊技釘１６０を打ち込んだ場合には、遊技釘１６０を打ち込む際の衝撃により、基板５００の表面とセルシート５１０との間にドーナツ状の浮き５２０や衝撃波状の気泡５３０が生じることがある。このようなドーナツ状の浮き５２０や衝撃波状の気泡５３０が生じると、遊技盤表面の外観を損ねることとなる。
【００１１】
このような浮きや気泡は、着色されて不透明なセルシートの領域であれば、さほど目立つことはない。ところが、上述したように広範囲に透光性遊技基板が使用された遊技盤にあっては、透光性遊技基板の領域には透明なセルシートが貼り付けられているため、このような透明なセルシートの領域においてドーナツ状の浮きや衝撃波状の気泡が発生した場合には、浮きや気泡が目立つばかりでなく、透光性遊技基板の背後に配置された液晶ディスプレイの視認性にも影響を与えてしまう。
【００１２】
本発明は上記事情に鑑みなされたもので、遊技盤の表面にセルシートを積層した遊技盤において、ドーナツ状の浮きや衝撃波状の気泡を生じさせることなく遊技釘を打ち込むことが可能で、かつ製造が容易な遊技盤を提供することを目的とするものである。
【００１３】
【課題を解決するための手段】
上記目的を達成するために、本発明の請求項１に係る遊技盤は、基板の表面に貼着層を介してセルシートを積層し、該基板の表面側に多数の遊技釘を植設した遊技盤であって、
前記基板は、遊技者に遊技盤背面側を視認不可能とする不透光性部材と、遊技者に遊技盤背面側を視認可能とする透光性部材とからなるとともに、前記遊技釘を植設するための釘植設孔を有し、
前記セルシートには、前記釘植設孔に対向する位置に前記遊技釘を挿通するための釘挿通孔を設け、
該釘挿通孔は、少なくとも前記透光性部材に対向する領域において、前記遊技釘を植設する前の状態で、前記セルシートの背面にまで到達していない構成とされ、
該釘挿通孔の直径は、前記遊技釘の直径よりも大きく形成されていることを特徴とするものである。
【００１４】
また、前記不透光性部材と前記透光性部材とは別体として設けられ、前記不透光性部材と前記透光性部材とを組み合わせることにより前記基板を構成することも可能である。
【００１５】
また、前記セルシートの背面側において、前記不透光性部材を覆う領域に接着剤層を設けるとともに、前記透光性部材を覆う領域に透光性を有する両面粘着テープ層を設けることにより、前記貼着層を形成することも可能である。
【００１６】
また、前記セルシートの背面側において、前記不透光性部材を覆う領域に接着剤層を設けるとともに、前記透光性部材の表面側に透光性を有する両面粘着テープ層を設けることにより、前記貼着層を形成することも可能である。
【００１７】
また、前記釘挿通孔は、ビク抜き刃が前記セルシートを貫通しないようにして、該釘挿通孔の内部に薄肉部が残る半抜き状態に形成することが好ましい。
【００１８】
また、前記セルシートの背面側には、前記基板と積層する前の状態で、前記貼着層を覆う剥離シートを取り付けることも可能である。
【００１９】
【発明の実施の形態】
以下、本発明の一実施形態について図面を参照しつつ詳細に説明する。
図１は、本発明の実施形態に係る遊技盤を示す正面図、図２は、この遊技盤の一部を示す縦断面図、図３は、この遊技盤に用いるセルシートの一部を示す斜視図、図４は、遊技釘を打ち込んだ状態の遊技盤の縦断面図である。なお、以下に説明する遊技盤は、代表的な遊技機の一つであるパチンコ遊技機に使用されるものである。
【００２０】
本発明に係る遊技盤１０は、図１に示すように、その表面に配された略円弧状の内外一対の案内レール２０，３０により、発射部（図示せず）から発射された遊技球を案内するための発射球案内路４０が形成されており、内側案内レール２０および外側案内レール３０の延長部により囲まれた略円形の領域が遊技部５０となっている。この遊技部５０内には、ほぼ中央に可変表示装置を構成する液晶画面６０が配されており、この液晶画面６０上およびその周囲には天釘等の複数の遊技釘（図示せず）や風車７０等の流路変更部材を設けてある。また、遊技部５０内には、液晶画面６０の下方に普通変動入賞装置であり、始動口機能を有する始動入賞装置８０を設け、この始動入賞装置８０のさらに下方に大型変動入賞装置であるアタッカ９０を設けてある。さらに、遊技部５０内には、複数の一般入賞口１００を設けるとともに、アタッカ９０の下方に、遊技部５０内に弾発されていずれの一般入賞口１００あるいは始動入賞装置８０にも入賞しなかった遊技球を遊技部５０から排出するためのアウト口１１０を設けてある。
【００２１】
この遊技盤１０は、ほぼ中央に開口部１２０を有する不透光性基板１３０と、この開口部１２０にはまり込む透光性基板１４０とから構成されており、透光性基板１４０の背面側には、液晶画面６０を構成するための液晶表示装置が配設されている。なお、不透光性基板１３０は不透明な合成樹脂等からなり、透光性基板１４０は透光性を有する合成樹脂等からなる。
【００２２】
この不透光性基板１３０と透光性基板１４０とは、両者を組み合わせた際に、透光性基板１４０の表面が不透光性基板１３０の表面と同一面となるか、あるいは透光性基板１４０の表面が不透光性基板１３０の表面から約０．１〜０．２ｍｍ程度突出するように構成することが好ましい。
【００２３】
すなわち、後に詳述するように遊技盤１０の表面にはセルシート１８０が積層されるが、このセルシート１８０を積層した場合に、不透光性基板１３０と透光性基板１４０との継ぎ目に段差があると、この段差部分に気泡が生じるおそれがある。この気泡は、特に透光性基板１４０の領域で目立つため、透光性基板１４０の領域では気泡が発生しないようにする必要がある。したがって、透光性基板１４０の表面が不透光性基板１３０の表面と同一面となるか、あるいは透光性基板１４０の表面が若干突出した状態とすることにより、両者の継ぎ目部分において透光性基板１４０の領域では気泡が発生せず、遊技盤１０の外観を損なうことがない。
【００２４】
また、図２，４に示すように、不透光性基板１３０および透光性基板１４０には、遊技釘１６０を植設するための釘植設孔１５０が多数設けられている。この釘植設孔１５０は、不透光性基板１３０および透光性基板１４０を成型する際に一緒に形成され、図２に示すように、不透光性基板１３０あるいは透光性基板１４０の表面側から中程までの深さとしてもよいし、図４に示すように、不透光性基板１３０あるいは透光性基板１４０の裏面側にまで貫通していてもよいし、さらに、不透光性基板１３０あるいは透光性基板１４０の裏面側に、遊技釘１６０の先端部を支持するためのボス部１７０を設けてもよい。
【００２５】
遊技盤１０の表面には、図２に示すように、透光性基板１４０を覆う領域を透明領域とし、不透光性基板１３０を覆う領域を不透明領域としたセルシート１８０が貼着層１９０を介して貼り付けられている。
【００２６】
このセルシート１８０は、例えばＣＡＢ（セルロースアセトブチレート）からなる２００μｍ程度の厚みを有するフィルムであって、遊技者が遊技盤１０の絵柄として視認する絵柄を不透明インクによりシルクスクリーン法、グラビア法等既知の手段で印刷された不透明領域と、印刷を行うことなく透明体のままとされた、上記液晶表示装置の液晶画面６０に対向する透明領域からなる。
【００２７】
また、セルシート１８０には、図２，３に示すように、遊技盤１０の前面に設けた各種入賞口から入賞球集合樋アッセンブリに遊技球を流下させるために球通路に合わせた形状に穿設された複数の貫通孔２００と、不透光性基板１３０あるいは透光性基板１４０に設けられた釘植設孔１５０に対向する位置に穿設された複数の釘挿通孔２１０が設けられている。
【００２８】
この釘挿通孔２１０は、図２に示すように、遊技釘１６０を植設する前の状態において、セルシート１８０の背面にまで到達しないように形成されている。すなわち、釘挿通孔２１０は、いわゆるビク抜き装置等を用いてセルシート１８０の表面側から形成されるのであるが、その際、ビク抜き刃がセルシート１８０を貫通しないようにして、釘挿通孔２１０の内部に薄肉部２２０が残る半抜き状態とされている。
【００２９】
釘挿通孔２１０の直径は、遊技盤１０に植設する遊技釘１６０の直径よりも若干大きく形成することが好ましく、例えば遊技釘１６０の直径が２．２ｍｍである場合には、釘挿通孔２１０の直径は２．３ｍｍとされる。これは、遊技盤１０に対して遊技釘１６０を打ち込む際に、遊技釘１６０の外周部が釘挿通孔２１０の内壁に接触して、セルシート１８０が破損することを防止するためである。
【００３０】
図４に示すように、半抜き状態の釘挿通孔２１０を有する遊技盤１０に遊技釘１６０を打ち込むと、釘挿通孔２１０内に残っていた薄肉部２２０が、抜き屑となって遊技釘１６０の先端部により釘植設孔１５０内に押し込まれる。このように、遊技盤１０に遊技釘１６０を打ち込む際に、遊技釘１６０の先端部が半抜き状態となった釘挿通孔２１０の抜き屑に衝突して衝撃が和らげられるので、不透光性基板１３０あるいは透光性基板１４０の表面とセルシート１８０との間に、ドーナツ状の浮きや衝撃波状の気泡が生じることがない。
【００３１】
なお、釘植設孔１５０内に薄肉部２２０が抜き屑となって残留するが、セルシート１８０の着色部分では、遊技盤１０の表面側から釘植設孔１５０内が見えないので、この抜き屑となった薄肉部２２０が残留していても差し支えない。また、セルシート１８０が透明である部分では、抜き屑となった薄肉部２２０も透明であり、釘植設孔１５０内には遊技釘１６０のスクリュー部の軌跡が白色となって残っているので、小さな抜き屑となった薄肉部２２０が遊技盤１０の表面側から目立つことはない。
【００３２】
また、半抜き状態の釘挿通孔２１０は、セルシート１８０の全体にわたって設けることが好ましいが、特に浮きや気泡が発生するとこれらが目立つ領域、すなわち透光性基板１４０を覆う領域にのみ設けてもよい。
【００３３】
また、セルシート１８０の形成材料としては、透明性が高く、印刷用インクの塗着が容易なものであれば、上述したＣＡＢに限られるものではない。
【００３４】
次に、遊技盤１０とセルシート１８０を積層するための貼着層１９０について説明する。
【００３５】
図５は、第１実施例に係る貼着層１９０を設けたセルシート１８０の分解斜視図、図６は、貼着層１９０を設けたセルシート１８０を遊技盤１０に貼り付ける方法を説明する説明図である。
【００３６】
第１実施例に係るセルシート１８０の背面側には、図５に示すように、不透光性基板１３０を覆う領域に接着剤層２３０を設け、透光性基板１４０を覆う領域に透明度が高い両面粘着テープ層２４０を設け、この接着剤層２３０と両面粘着テープ層２４０により貼着層１９０を形成している。また、貼着層１９０の表面には、紙あるいは合成樹脂シートからなる剥離シート２５０を貼り付けてある。
【００３７】
このように、セルシート１８０に設けた貼着層１９０に剥離シート２５０を貼り付けることにより、セルシート１８０が背面側から補強され、貫通孔２００や釘挿通孔２１０を容易に穿設することができる。
【００３８】
上記接着剤層２３０は、図５の拡大図に示すように、例えば水性エマルジョンタイプのノリをハニカム形状にシルク印刷することにより形成される。
【００３９】
次に、セルシート１８０を遊技盤１０に貼り付ける手順を説明する。
まず、セルシート１８０の貼着層１９０から剥離シート２５０を取り除いた後、図６に示すように、遊技盤１０の一端部において遊技盤１０とセルシート１８０の位置を合わせ、ローラ２６０により遊技盤１０の表面にセルシート１８０を押しつけることによりエア抜きを行いながら、遊技盤１０の表面にセルシート１８０を圧着する。
【００４０】
このように遊技盤１０の表面にセルシート１８０を圧着する際に、接着剤層２３０がハニカム形状に形成されていると、遊技盤１０に対するセルシート１８０の接着力が強化され、ずれ防止効果が高くなり、またエア抜きも容易となり、効率よくセルシート１８０を貼り付けることができる。
【００４１】
図７は、第２実施例に係る貼着層１９０を設けたセルシート１８０の分解斜視図である。
第２実施例に係るセルシート１８０の背面側には、図７に示すように、不透光性基板１３０を覆う領域にのみ接着剤層２３０を設けてある。また、透光性基板１４０の表面側には、透明度が高い両面粘着テープ層２４０が設けられており、この両面粘着テープ層２４０と上記接着剤層２３０により貼着層１９０を形成している。さらに、接着剤層２３０の表面には、紙あるいは合成樹脂シートからなる剥離シート２５０を貼り付けてある。なお、図示しないが、両面粘着テープ層２４０の表面にも剥離シートが貼り付けられている。
上記接着剤層２３０は、図５の拡大図に示すように、例えば水性エマルジョンタイプのノリをハニカム形状にシルク印刷することにより形成される。
【００４２】
第２実施例のセルシート１８０も、第１実施例のセルシート１８０と同様の手順により、遊技盤１０の表面に貼り付けることができる。すなわち、セルシート１８０に設けた接着剤層２３０と、透光性基板１４０に設けた両面貼着テープ層２４０から剥離シート２５０を取り除いた後、図６に示すように、遊技盤１０の一端部において遊技盤１０とセルシート１８０の位置を合わせ、ローラ２６０により遊技盤１０の表面にセルシート１８０を押しつけることによりエア抜きを行いながら、遊技盤１０の表面にセルシート１８０を圧着する。
【００４３】
なお、上述した実施例１，２では、透光性基板１４０に対向させて透明度の高い両面粘着テープ層２４０を設け、不透光性基板１３０に対向させて接着剤層２３０を設けているが、透光性基板１４０および不透光性基板１３０の全領域に対向させて透明度の高い両面粘着テープ層２４０を設けてもよい。
【００４４】
また、上述した実施形態では、パチンコ遊技機に使用する遊技盤１０について説明したが、本発明に係る遊技盤１０は、雀球遊技機やアレンジボール遊技機等の他の弾球遊技機にも適用することができる。
【００４５】
【発明の効果】
本発明の請求項１記載の遊技機によれば、透光性部材と不透光性部材とからなる基板の表面に貼着層を介してセルシートを積層し、セルシートには、基板に設けた釘植設孔に対向する位置に遊技釘を挿通するための釘挿通孔を設けてある。この釘挿通孔は、少なくとも透光性部材に対向する領域において、遊技釘を植設する前の状態で、セルシートの背面にまで到達していない半抜き状態となっている。
【００４６】
これにより、遊技盤に遊技釘を打ち込む際に、遊技釘の先端部が半抜き状態となった釘挿通孔の抜き屑に衝突して衝撃が和らげられるので、基板表面とセルシートとの間にドーナツ状の浮きや衝撃波状の気泡が生じることがない。
【００４７】
また、セルシートに釘挿通孔を形成する際に抜き屑が発生しないので、釘挿通孔を形成する装置のメンテナンスが容易となる。
【００４８】
また、本発明の請求項２記載の遊技盤によれば、不透光性部材と透光性部材とは別体として設けられ、不透光性部材と透光性部材とを組み合わせることにより基板を構成しているため、基板を容易に形成することができる。
【００４９】
また、本発明の請求項３記載の遊技盤によれば、セルシートの背面側において、不透光性部材を覆う領域に接着剤層を設けるとともに、透光性部材を覆う領域に透光性を有する両面粘着テープ層を設けることにより貼着層を形成しているので、従来と同様の生産設備を用いて、遊技盤に対してセルシートを容易に貼り付けることができる。
【００５０】
また、本発明の請求項４記載の遊技盤によれば、セルシートの背面側において、不透光性部材を覆う領域に接着剤層を設けるとともに、透光性部材の表面側に透光性を有する両面粘着テープ層を設けることにより貼着層を形成しているので、従来と同様の生産設備を用いて、遊技盤に対してセルシートを容易に貼り付けることができる。
【００５１】
また、本発明の請求項５記載の遊技盤によれば、接着剤をハニカム形状に塗布して接着剤層を形成することにより、遊技盤に対してセルシートがずれることなく、またエア抜きも容易となり、効率よくセルシートを貼り付けることができる。
【００５２】
また、セルシートの背面側に、基板と積層する前の状態で、貼着層を覆う剥離シートを取り付けることにより、セルシートを裏面側から補強することができ、釘挿通孔や球通路のための貫通孔を容易に形成することができる。
【図面の簡単な説明】
【図１】本発明の実施形態に係る遊技盤の正面図
【図２】本発明の実施形態に係る遊技盤の一部を示す縦断面図
【図３】本発明の実施形態に係る遊技盤に用いるセルシートの一部を示す斜視図
【図４】本発明の実施形態に係る遊技盤において、遊技釘を打ち込んだ状態を説明する縦断面図
【図５】第１実施例に係る貼着層を設けたセルシートの分解斜視図
【図６】遊技盤に対してセルシートを貼り付ける方法を説明する説明図
【図７】第２実施例に係る貼着層を設けたセルシートの分解斜視図
【図８】従来の遊技盤において、遊技釘を打ち込んだ状態を説明する斜視図
【符号の説明】
１０・・・遊技盤
２０，３０・・・案内レール
４０・・・発射球案内路
５０・・・遊技部
６０・・・液晶画面
７０・・・風車
８０・・・始動入賞装置
９０・・・アタッカ
１００・・・一般入賞口
１１０・・・アウト口
１２０・・・開口部
１３０・・・不透光性基板
１４０・・・透光性基板
１５０・・・釘植設孔
１６０・・・遊技釘
１７０・・・ボス部
１８０・・・セルシート
１９０・・・貼着層
２００・・・貫通孔
２１０・・・釘挿通孔
２２０・・・薄肉部
２３０・・・接着剤層
２４０・・・両面粘着テープ層
２５０・・・剥離シート
２６０・・・ローラ
５００・・・従来の遊技盤の基板
５１０・・・従来のセルシート
５２０・・・浮き
５３０・・・気泡
【図１】
0003745163.tif 000002
【図２】
0003745163.tif 000003
【図３】
0003745163.tif 000004
【図４】
0003745163.tif 000005
【図５】
0003745163.tif 000006
【図６】
0003745163.tif 000007
【図７】
0003745163.tif 000008
【図８】
0003745163.tif 000009